(57)【要約】      （修正有）【課題】簡易箱の機能は増加し、ひいては簡易箱の用途が拡大される簡易箱用連結器を提供する。【解決手段】予めに設定される数量でフレームと組付けて簡易箱を組成し、円盤形状基板１１を有し、円盤形状基板の一面には井字形を呈する係合板１２が形成してあり、隣接し互いに平行している係合板が四つの側部フレーム挿入溝を構成し、また、円盤形状基板の周囲には四つの背部フレーム挿入溝が設けてあり、背部フレーム挿入溝１４と側部フレーム挿入溝１５とは互いに垂直しており、若干のフレームがこれらの背部フレーム挿入溝と側部フレーム挿入溝とに嵌合される簡易箱用連結器において、円盤形状基板の周囲にある背部フレーム挿入溝同士の間の隙間には、円形の挿入穴１６が設けてある。【選択図】図２
0003136551.tif 000002
【実用新案登録請求の範囲】
【請求項１】
予めに設定される数量でフレームと組付けて簡易箱を組成し、円盤形状基板を有し、前記円盤形状基板の一面には井字形を呈する係合板が形成してあり、隣接し互いに平行している係合板が四つの側部フレーム挿入溝を構成し、また、前記円盤形状基板の周囲には四つの背部フレーム挿入溝が設けてあり、前記背部フレーム挿入溝と前記側部フレーム挿入溝とは互いに垂直しており、前記フレームがこれらの前記背部フレーム挿入溝と前記側部フレーム挿入溝とに嵌合される簡易箱用連結器において、更に、前記円盤形状基板の周囲にある前記背部フレーム挿入溝同士の間の隙間には、円形の挿入穴が設けてあることを特徴とする、簡易箱用連結器。
【請求項２】
前記円盤形状基板の周囲にある前記背部フレーム挿入溝同士の間の隙間は四つあり、前記各隙間には円形の挿入穴がそれぞれ一つ設けてあることを特徴とする、請求項１に記載の簡易箱用連結器。
【請求項３】
隣接している連接器同士の挿入穴が互いに対向され、一つのドアの枢着ロッドの両端が前記連接器同士に開設された挿入穴にそれぞれ挿入されることを特徴とする、請求項１に記載の簡易箱用連結器。
【請求項４】
横方向に互いに隣接している連接器同士に開設された挿入穴が上に向いており、一つの支持ロッドの両端が前記二つの連接器の挿入穴にそれぞれ挿入され、前記支持ロッドの上で瓶形状の物体を放置可能であることを特徴とする、請求項１に記載の簡易箱用連結器。
【請求項５】
横方向に互いに隣接している連接器同士に開設された挿入穴が上に向いており、一つの吊下げ枠の両端が前記二つの連接器の挿入穴にそれぞれ挿入され、前記吊下げ枠には品物を吊下げるための吊下げフックが設けてあることを特徴とする、請求項１に記載の簡易箱用連結器。
【考案の詳細な説明】
【技術分野】
【０００１】
本考案は連結器に係り、特に、簡易箱用の連結器に関するものである。
【背景技術】
【０００２】
図１に示したのは従来の簡易箱用連結器９０であって、一つの円盤形状基板９１を有し、前記円盤形状基板９１の一面には井字形を呈する係合板９２が形成してあり、隣接し互いに平行している係合板９２が四つの側部フレーム挿入溝９５を構成し、また、前記円盤形状基板９１の周囲には四つの背部フレーム挿入溝９４が設けてあり、前記背部フレーム挿入溝９４と前記側部フレーム挿入溝９５とは互いに垂直しており、このような構成により、簡易箱を組付けることができ、従来の簡易箱の組付方法は、前記背部フレーム挿入溝９４に簡易箱の背部のフレームを嵌合して、前記側部フレーム挿入溝９５に簡易箱の側部のフレームを嵌合すると、簡易箱は簡単に組付や分解をすることができる。
【考案の開示】
【考案が解決しようとする課題】
【０００３】
しかしながら、これは次のような欠点があった。
（イ）従来の簡易箱の機能は増加できないので、用途が限定される。
【０００４】
（ロ）本考案の円盤形状基板の周囲にある前記背部フレーム挿入溝同士の間の隙間には、円形の挿入穴が設けてあるので、ロッド形状の部材（例えば支持ロッドや吊下げフックなど）を挿入穴に挿入すると、簡易箱の機能は増加し、だから、簡易箱の用途が拡大される。
【課題を解決するための手段】
【０００５】
上記目的を達成するためになされた本願の考案は、予めに設定される数量でフレームと組付けて簡易箱を組成し、円盤形状基板を有し、前記円盤形状基板の一面には井字形を呈する係合板が形成してあり、隣接し互いに平行している係合板が四つの側部フレーム挿入溝を構成し、また、前記円盤形状基板の周囲には四つの背部フレーム挿入溝が設けてあり、前記背部フレーム挿入溝と前記側部フレーム挿入溝とは互いに垂直しており、若干のフレームがこれらの前記背部フレーム挿入溝と前記側部フレーム挿入溝とに嵌合される簡易箱用連結器において、更に、前記円盤形状基板の周囲にある前記背部フレーム挿入溝同士の間の隙間には、円形の挿入穴が設けてあることを特徴とする、簡易箱用連結器であることを要旨としている。
【０００６】
本願の考案では、前記円盤形状基板の周囲にある前記背部フレーム挿入溝同士の間の隙間には、円形の挿入穴が設けてあることを特徴とする、請求項１に記載の簡易箱用連結器であることを要旨としている。
【０００７】
本願の考案では、隣接している連接器同士の挿入穴が互いに対向され、一つのドアの枢着ロッドの両端が前記連接器同士に開設された挿入穴にそれぞれ挿入されることを特徴とする、請求項１に記載の簡易箱用連結器であることを要旨としている。
【０００８】
本願の考案では、横方向に互いに隣接している連接器同士に開設された挿入穴が上に向いており、一つの支持ロッドの両端が前記二つの連接器の挿入穴にそれぞれ挿入され、前記支持ロッドの上で瓶形状の物体を放置可能であることを特徴とする、請求項１に記載の簡易箱用連結器であることを要旨としている。
【０００９】
本願の考案では、横方向に互いに隣接している連接器同士に開設された挿入穴が上に向いており、一つの吊下げ枠の両端が前記二つの連接器の挿入穴にそれぞれ挿入され、前記吊下げ枠には品物を吊下げるための吊下げフックが設けてあることを特徴とする請求項１に記載の簡易箱用連結器であることを要旨としている。
【考案の効果】
【００１０】
本考案の簡易箱用連結器によれば、簡易箱の機能が増加し、ひいては簡易箱の用途が拡大される効果を有する。
【考案を実施するための最良の形態】
【００１１】
以下、添付図面を参照して本考案の好適な実施の形態を詳細に説明する。
【００１２】
まず、図２を参照する。図２は本考案の連結器の外観斜視図である。本考案の連結器１０は、円盤形状基板１１を有し、前記円盤形状基板１１の一面には井字形を呈する係合板１２が形成してあり、隣接し互いに平行している係合板１２が四つの側部フレーム挿入溝１５を構成し、また、前記円盤形状基板１１の周囲には四つの背部フレーム挿入溝１４が設けてあり、前記背部フレーム挿入溝１４と前記側部フレーム挿入溝１５とは互いに垂直しており、これにより、簡易箱を組付けることができ、また、前記円盤形状基板１１の周囲にある前記背部フレーム挿入溝１４同士の間の隙間には、円形の挿入穴１６が設けてあり、前記挿入穴１６にロッド形状の物体を挿入可能である。
【００１３】
また、図３は本考案の第一の使用状態の外観斜視図である。第一の使用状態では、連結器１０の背部フレーム挿入溝１４に背部フレーム（背面に位置するので、見えない）を嵌め込んで、連結器１０の側部フレーム挿入溝１５に側部フレーム２２を嵌め込むと、簡易箱を組付けることができる。図４に示したのは、図３の簡易箱２０の前側の上部の左側にある連結器１０の拡大概略図であって、円形の挿入穴１６が右に向いており、また、簡易箱２０の前側の上部の右側にある連結器１０に開設された挿入穴１６（図示せず）が左に向いており、前部フレーム２３の枢着ロッド２３０を前記挿入穴１６にそれぞれ挿入すると、簡易箱２０のドアの構造が構成され、上記構造の下部は固定しないので、簡易箱２０の前部には、図５に示した開け可能なドアが形成される。
【００１４】
また、図６は本考案の第二の使用状態の外観斜視図である。第二の使用状態では、第一の使用状態と同様の方法で簡易箱３０を組付け、且つ横方向に互いに隣接している連接器１０同士に開設された挿入穴１６を上に向かせて、一つの支持ロッド３２の両端を前記二つの連接器１０の挿入穴１６にそれぞれ挿入すると、前記支持ロッド３２の上で瓶形状の物体を放置可能であり、だから、第二の使用状態の簡易箱３０は飲料棚などとして使用可能である。
【００１５】
また、図７は本考案の第三の使用状態の外観斜視図である。第三の使用状態では、第一の使用状態と同様の方法で簡易箱４０を組付け、且つ横方向に互いに隣接している連接器１０同士に開設された挿入穴１６を上に向かせて、且つ簡易箱４０の前側の上部の左側に位置する連接器１０の挿入穴１６に鏡４１の挿入ロッド４２を挿入して、簡易箱４０の前側の上部の右側に位置する連接器１０の挿入穴１６に別の挿入ロッド４３を挿入すると、容貌を整理するための小物を収納可能な簡易箱４０が構成され、特に、簡易箱４０の前側の上部の右側に位置する連接器１０の挿入穴１６に別の挿入ロッド４３には、ネクタイやタオルなどを吊下げ可能である。
【００１６】
また、図８は本考案の第四の使用状態の外観斜視図である。第四の使用状態では、第一の使用状態と同様の方法で簡易箱５０を組付け、且つ横方向に互いに隣接している連接器１０同士に開設された挿入穴１６を上に向かせて、一つの吊下げ枠５２の両端を前記二つの連接器１０の挿入穴１６にそれぞれ挿入すると、帽子やネックレスなどの小物を吊下げ可能な簡易箱５０が構成され、且つ前記吊下げ枠５２には吊下げフック５２０が複数に設けてある。
【００１７】
図面および明細書に記載した連接器１０は、本考案の基本な実施例の一つだけであり、本考案は色々方法で連接器１０を変形可能であり、例えば、円盤形状基板１１の周囲には円形の挿入穴１６を一つ以上開設してもよく、また、円盤形状基板１１や係合板１２の形状について変形してもいい。すなわち、上記では、種々の実施の形態および変形例を説明したが、本考案はこれらの内容に限定されるものではない。本考案の技術的思想の範囲内で考えられるその他の態様も本考案の範囲内に含まれる。
【図面の簡単な説明】
【００１８】
【図１】従来の連結器の外観概略図
【図２】本考案の連結器の外観斜視図
【図３】本考案の第一の使用状態の外観斜視図
【図４】本考案の第一の使用状態の一部の拡大図
【図５】本考案の第一の使用状態の別の外観斜視図
【図６】本考案の第二の使用状態の外観斜視図
【図７】本考案の第三の使用状態の外観斜視図
【図８】本考案の第四の使用状態の外観斜視図
【符号の説明】
【００１９】
１０      連結器                                                  
１１      円盤形状基板
１２      係合板                                                  
１４      背部フレーム挿入溝
１５      側部フレーム挿入溝                 
１６      円形挿入穴
２０      簡易箱                                                  
２２      側部フレーム
２３      前部フレーム                                       
３０      簡易箱
３２      支持ロッド                                          
４０      簡易箱
４１      鏡                                                         
４２      挿入ロッド
４３      挿入ロッド                                          
５０      簡易箱
５２      吊下げ枠                                              
２３０    枢着ロッド
５２０    吊下げフック
【図１】
0003136551.tif 000003
【図２】
0003136551.tif 000004
【図３】
0003136551.tif 000005
【図４】
0003136551.tif 000006
【図５】
0003136551.tif 000007
【図６】
0003136551.tif 000008
【図７】
0003136551.tif 000009
【図８】
0003136551.tif 000010